(57)【要約】      （修正有）【課題】気液分離を確実にして空気のみを掃除機が吸引するようにしたシミ取り装置を提供する。【解決手段】家庭用掃除機で吸引することでシミを取り除くシミ取り装置であって、掃除機に接続される吸引口２３と、本体２内部に設けられた気液分離手段と、前記気液分離手段を介して前記吸引口２３と連通するシミ取り作業面４０または吸込口４３とからなり、前記気液分離手段を垂直方向に互いに平行して設けた複数の上下仕切板と、これら上下仕切板の間に介在された通気性多孔質部材６ａ、６ｂとで構成した。【選択図】図３
0003124774.tif 000002
【実用新案登録請求の範囲】
【請求項１】
被対象物に付着したシミを家庭用掃除機で吸引することでシミを取り除くシミ取り装置であって、
装置本体に設けられ、掃除機の吸込みホースに接続される吸引口と、
前記装置本体の内部に設けられた気液分離手段と、
前記装置本体に設けられ、前記気液分離手段を介して前記吸引口と連通するシミ取り作業面または吸込口とからなり、
前記気液分離手段を垂直方向に互いに平行して設けた複数の上下仕切板と、これら上下仕切板の間に介在された通気性多孔質部材とで構成したことを特徴とする、シミ取り装置。
【請求項２】
請求項１に記載するシミ取り装置において、
装置本体には、一部を開口した内蓋と、該内蓋に回転可能に嵌合する外蓋とを設け、
前記外蓋の上面一部をメッシュ部材で構成し、
前記メッシュ部材と内蓋開口部とが重なり合うことでシミ取り作業面を形成し、
前記シミ取り作業面は前記吸引口と連通するとともに、前記外蓋を回転することで前記内蓋の開口面積を無段階に変更可能にしたことを特徴とする、シミ取り装置。
【請求項３】
請求項２に記載するシミ取り装置において、
前記外蓋には、前記シミ取り作業面とは別にその側面に吸込口を形成し、前記外蓋を回転することで前記シミ取り作業面と前記吸込口が選択的に前記吸引口に連通するようにしたことを特徴とする、シミ取り装置。
【請求項４】
請求項１乃至請求項３のいずれかに記載するシミ取り装置において、
前記吸引口の掃除機の吸込みホースに接続される接続部を装置本体の下部に設けたことを特徴とする、シミ取り装置。
【考案の詳細な説明】
【技術分野】
【０００１】  本考案は、被服やジュウタン等の布地に付着したシミを取り除くためのシミ取り装置に関する。
【背景技術】
【０００２】  従来、被服等の布地にシミが付着した場合には、それらのシミの種類に応じた溶剤をシミの付着した部分に塗布しながら布で叩いたり、拭き取ることによってシミ取りが行われているが、溶剤がシミの周囲に拡散し、拡散した部分が跡形となって残存するなど外観上も不体裁になるという問題があった。
このため、溶剤及びシミが布地上で拡散する前に吸引しながら、シミを取り除くようにした染み取り装置が開発されている（特許文献１、２）。
【特許文献１】登録実用新案第３００６７７１号公報
【特許文献２】登録実用新案第３１００５５６号公報
【考案の開示】
【考案が解決しようとする課題】
【０００３】  しかしながら、上記特許文献に示す染み取り装置には、以下のような問題がある。
＜イ＞特許文献１に示す染み取り装置は、気液分離手段で気体から分離された液体は邪魔板に付着し、この付着した液体が邪魔板付近の気体の流れによって再び気体に混入するおそれがあり、このことは邪魔板付近の気体の流速が速ければ速いほど発生し、気液分離を確実に行えない。
＜ロ＞特許文献２に示す染み取り装置も家庭用掃除機の吸引力を利用して気液分離を行うものであるが、掃除機を強で運転すると本体の底に溜まっている水が吸上げられ、やはり気液分離を確実に行えない。
＜ハ＞また、特許文献１，２は、いずれもシミ取り台の作業面積が一定の大きさであり、シミが小さくシミ取り台の作業面積を覆うことができない場合は吸引力が弱まるため、その部分を通気性のないゴムやビニール等で塞ぐ必要があり、作業が面倒である。
＜ニ＞また、特許文献１，２は、染み取り装置の上面が吸引盤やメッシュ部材からなるシミ取り作業台であることから、被服等のシミは比較的簡単に取り除くことができるが、ジュウタンのような大きな敷物等に付着したシミを取り除くことができない。
＜ホ＞さらに、特許文献１，２は、いずれも掃除機に対する接続口が装置本体の上部にあるため、染み取り装置が転倒しやすく、溶剤や水がこぼれて周囲を汚したり、掃除機に吸込まれて掃除機が故障する原因となるおそれがある。【０００４】  本考案は、気液分離を確実にして空気のみを掃除機が吸引するようにしたシミ取り装置を提供することを目的とする。
また本考案は、シミ取りの作業面の大きさを無段階に変更可能で、しかもジュウタンのような大きな敷物等に付着したシミも取り除くことを可能にしたシミ取り装置を提供することを目的とする。
さらに本考案は、転倒防止をはかった安全なシミ取り装置を提供することを目的とする。
【課題を解決するための手段】
【０００５】  上記のような目的を達成するために、本考案のシミ取り装置は、被対象物に付着したシミを家庭用掃除機で吸引することでシミを取り除くシミ取り装置であって、装置本体に設けられ、掃除機の吸込みホースに接続される吸引口と、前記装置本体の内部に設けられた気液分離手段と、前記装置本体に設けられ、前記気液分離手段を介して前記吸引口と連通するシミ取り作業面または吸込口とからなり、前記気液分離手段を垂直方向に互いに平行して設けた複数の上下仕切板と、これら上下仕切板の間に介在された通気性多孔質部材とで構成したことを特徴とするものである。【０００６】  また装置本体には、一部を開口した内蓋と、該内蓋に回転可能に嵌合する外蓋とを設け、前記外蓋の上面一部をメッシュ部材で構成し、前記メッシュ部材と内蓋開口部とが重なり合うことでシミ取り作業面を形成し、前記シミ取り作業面は前記吸引口と連通するとともに、前記外蓋を回転することで前記内蓋の開口面積を無段階に変更可能にしたことを特徴とするものである。【０００７】  また前記外蓋には、前記シミ取り作業面とは別にその側面に吸込口を形成し、前記外蓋を回転することで前記シミ取り作業面と前記吸込口が選択的に前記吸引口に連通するようにしたことを特徴とするものである。【０００８】  さらに前記吸引口の掃除機の吸込みホースに接続される接続部を装置本体の下部に設けたことを特徴とするものである。
【考案の効果】
【０００９】  上記構成のシミ取り装置によれば、次のような効果を得ることができる。
＜イ＞気液分離手段を複数の仕切板とこれら仕切板の間で支持された通気性多孔質部材とで構成しているので、シミ、溶剤及び水を含んだ空気が通気性多孔質部材を通過することで空気の減速分散が行われ、シミ、溶剤及び水が仕切板に沿って落下し、空気のみが吸引口から掃除機へ吸引されることになり、気液分離を確実に行うことができる。
＜ロ＞内蓋に対して外蓋を回転可能に嵌合し、外蓋のメッシュ部材と内蓋開口部とでシミ取り作業面を形成しているので、外蓋の回転角を調整することでシミ取り作業面の大きさを無段階に調整でき、シミの大きさに応じた最適のシミ取り作業面とすることができる。
＜ハ＞また、外蓋の側面にシミ取り作業面とは別に吸込口を設けているので、この吸込口に接続ホースを介して吸引ノズルを取り付けることで、ジュウタンのような大きな敷物等に付着したシミも取り除くことができる。
＜ニ＞さらに、掃除機の吸込みホースに接続される吸引口の接続部を装置本体の下部に設けたので、掃除機を操作中誤ってシミ取り装置を転倒してしまうということが少なく、安全にシミ取り作業を行うことができる。
【考案を実施するための最良の形態】
【００１０】  以下、図面を参照しながら、本考案に係る実施の形態について説明する。【００１１】＜イ＞シミ取り装置
シミ取り装置１は、図５及び図６にその外観を示すように本体２の上方に外蓋４をかぶせ、下方に水受５を設けるとともに、本体２の側面に垂直に吸引口２３を取り付けている。
外蓋４の上面はシミ取り作業面４０が形成され、また外蓋４の側面には吸込口４３が突設され、ここに先端に吸引ノズル７０，７１を取り付けた接続ホース７が接続される（図６参照）。
吸引口２３下部の接続口２３ａに家庭用掃除機の吸込みホースを接続し、掃除機を運転することで矢印のように空気が本体２内部を経由して吸引されるとともに、シミ、溶剤及び水が水受５に溜まるようになっている。
本体側面２０のピン２５（図１，２参照）に把手２６を取り付けてシミ取り装置１を持ち運びやすくしている。【００１２】＜ロ＞内部構造
シミ取り装置１の内部構造を図１、図２の分解斜視図に基づき説明する。
本体２の上部に内蓋３が取り付けられ、この内蓋３に対して外蓋４が回転可能に取り付けられている。
外蓋４の上面ほぼ半分を開口４１し、また側面に前記した吸込口４３を突設している。
外蓋４の開口部４１を覆うようにメッシュ部材４２を取り付けている。【００１３】  内蓋３の上面３０及び側面３１には、それぞれ上面開口部３４，側面開口部３５が開けられ、また上面３０の内側から下方に向けて複数の上仕切板３２が互いに平行して設けられている。
さらに上仕切板３２と直交して仕切壁３３が同じく下方に向けて上仕切板３２より延長して設けられている。
本体２の内側には、上仕切板３２と対向する位置に同じようにして複数の下仕切板２２が互いに平行して設けられ、また側面２０内側には、仕切壁３３を案内する一対の案内溝２４が設けられている。【００１４】  本体２の下部にＬ字形の切欠き２８を設け、ここに水受５のピン５０を引っ掛けて水受５を取り付ける。
本体２の底面２１を中央に向けて傾斜させ、その下部に穿設した長孔２７からシミ、溶剤及び水等の汚水が水受５に落下するようになっている。
水受５を透明にし、側面に目盛り等の規定ラインを刻んでおき、規定ラインまで汚水が溜まったら捨てるようにする。【００１５】＜ハ＞気液分離手段
６はスポンジや発泡ウレタンなどからなる通気性多孔質部材で、この通気性多孔質部材６を２個それぞれ下仕切板２２の上に載せる。
この状態で仕切壁３３を案内溝２４に差し込んで内蓋３を取り付けると、２個の通気性多孔質部材６は上下仕切板３２，２２の間であって、且つ仕切壁３３で区画される空間ａに通気性多孔質部材６ａ、空間ｂに通気性多孔質部材６ｂがそれぞれ収納され（図３）、気液分離手段が構成される。
３６は、内蓋３を本体２の上面に支持させるためのツバ部である。
本体２の側面２０に設けられた吸引口２３の吸引方向と一致する方向に上下仕切板３２，２２が配置されており、掃除機でシミ取り装置１内の空気を吸引すると、図３に示すように空気は矢印のように上仕切板３２の間を通って通気性多孔質部材６ａ、さらに下仕切板２２の間を通って通気性多孔質部材６ｂを経て吸引口２３から掃除機へ吸引される。
このとき通気性多孔質部材６ａによって空気の流速の減速分散が行われ、汚水が下仕切板２２に沿って重力により落下し、空気のみが矢印のように吸引口２３から掃除機へ吸引されることになる。
万一、長孔２７から落下されず空気に混入したままの汚水も、通気性多孔質部材６ｂを通過するときに減速分散が行われることで落下し、気液分離を確実に行うことができ、掃除機が汚水を吸引することはない。【００１６】＜ニ＞シミ取り作業面
シミ取り作業面４０は、開口部４１を覆ったメッシュ部材４２と上面開口部３４とが重なり合うことで形成されるもので、外蓋４を内蓋３に対して回転することによりシミの大きさに応じてシミ取り作業面４０の面積を無段階に調整することができる。
図４にシミ取り作業面４０の各種状態を示す（薄くまぶした部分がシミ取り作業面４０である）。
図４（Ａ）は、メッシュ部材４２と内蓋３の上面開口部３４とが全て重なった全開の状態で、シミ取り作業面４０は最大の大きさとなっている。
図４（Ｂ）は、外蓋４を反時計方向へ４５度回転した状態で、シミ取り作業面４０は全開に比べて３／４開となっている。
図４（Ｃ）は、外蓋４をさらに反時計方向へ４５度回転した状態で、シミ取り作業面４０は１／３開となっている。
図４（Ｄ）は、外蓋４を１８０度回転した状態で、メッシュ部材４２と上面開口部３４は重なることがなく、シミ取り作業面４０は形成されず、替わりに吸込口４３が側面開口部３５と連通するようになっている。【００１７】  なお、図７に拡大して示すように吸込口４３が側面開口部３５と連通し始めると同時にシミ取り作業面４０は形成されなくなり、したがってシミ取り作業面４０と吸込口４３は、選択的に吸引口２３と連通するようになっている。【００１８】＜ホ＞シミ取り装置の使用例（被服等の布地に付着したシミの場合）
図５に示すようにシミ取り作業面４０の上にシミ８０の付着した箇所がくるように布地８をおく。
この場合、シミ８０の大きさに応じて外蓋４を回して角度調整し、シミ取り作業面４０の大きさを調整しておく。
▲１▼吸引口２３下部の接続口２３ａに掃除機の吸込みホースを接続する。
▲２▼シミ８０の箇所に溶剤を振りかけながら綿棒または刷毛などでシミ８０の箇所を叩きながらシミ８０を浮かせる。
▲３▼霧吹き等で水を吹きかける。
▲４▼掃除機のスイッチを入れると、シミ取り作業面４０より吸引された汚水（シミ、溶剤及び水）が内部の気液分離手段へ導かれる。
このようにして、▲２▼〜▲４▼の作業を繰り返しながらシミ取りを行う。
上下仕切板３２，２２により空気の流れを一定の方向に定め、通気性多孔質部材６により減速分散をはかることで汚水が重力により、あるいは下仕切板２２に沿って落下し、長孔２７より水受５内に落下する。【００１９】  これにより掃除機の吸込み口に接続した吸引口２３には、絶えず空気のみが吸引される。
シミの部分が吸引力により水とともに吸い取られるので、円形状に広がった輪シミとなることがなく、シミ取りができる。
ある程度汚水が水受５の底に溜まれば、水受５を外して溜まった汚水を排出する。【００２０】＜ヘ＞シミ取り装置の他の使用例（ジュウタン等に付着したシミの場合）
図６に示すように、吸込口４３に接続ホース７を接続する。
外蓋４を１８０度回転して、吸込口４３を側面開口部３５と連通させる（図４（Ｄ）、図７参照）。
吸引ノズル７０，７１は、繊維の種類や吸い取り面の状態に応じて取り替える。
前記と同様にシミの箇所に溶剤を振りかけながら綿棒または刷毛などで叩きながらシミを浮かせ、霧吹き等で水を吹きかける。
掃除機のスイッチを入れると、吸引ノズル７０より吸引された汚水が、接続ホース７を通り、吸込口４３及び側面開口部３５より内部の気液分離手段へ導かれ、前記と同様に汚水が長孔２７より水受５内に落下し、吸引口２３には絶えず空気のみが吸引される。
【図面の簡単な説明】
【００２１】
【図１】シミ取り装置の分解斜視図。
【図２】本体と内蓋の分解斜視図。
【図３】シミ取り装置の説明図。
【図４】シミ取り作業面の各種状態を示す概略図。
【図５】シミ取り装置の使用例を示す斜視図。
【図６】シミ取り装置の他の使用例を示す斜視図。
【図７】吸込口と内蓋の側面開口部との関係を示す平面図。
【符号の説明】
【００２２】１・・・・シミ取り装置
２・・・・本体
２２・・・下仕切板
２３・・・吸引口
３・・・・内蓋
３２・・・上仕切板
３３・・・仕切壁
３４・・・上面開口部
３５・・・側面開口部
４・・・・外蓋
４０・・・シミ取り作業面
４２・・・メッシュ部材
４３・・・吸込口
５・・・・水受
６・・・・通気性多孔質部材
【図１】
0003124774.tif 000003
【図２】
0003124774.tif 000004
【図３】
0003124774.tif 000005
【図４】
0003124774.tif 000006
【図５】
0003124774.tif 000007
【図６】
0003124774.tif 000008
【図７】
0003124774.tif 000009